(57)【特許請求の範囲】
【請求項１】
床下空間の内外を連通する人通口を備えた断熱床下構造において、
前記床下空間を間仕切り、且つ前記人通口の一部を構成する開口が予め形成されている基礎と、
前記開口と連通する前記人通口の出口が形成された状態で、前記基礎の床下空間側に固定される基礎断熱材と、
前記基礎の前記開口に装着されて前記人通口の入口を枠取る枠体と、
前記枠体の前記入口に着脱可能に嵌合されることにより、嵌合時に断熱性を保持した状態で前記入口を閉じる蓋体と
を備え、
前記基礎断熱材は、前記出口の縁を構成するとともに前記開口の縁よりも幅方向内側に突出した状態で前記枠体の背面に対向する延長部を有し、
前記枠体は、前記延長部に当該枠体の背面を接合することにより前記開口に装着される
ことを特徴とする断熱床下構造。
【請求項２】
請求項１に記載の断熱床下構造において、
前記出口の間口は、前記入口の間口以上に設定されている
ことを特徴とする断熱床下構造。
【請求項３】
請求項１又は２に記載の断熱床下構造において、
前記蓋体は、幅方向が長い長方形に形成されており、
前記蓋体の下側の長辺には、背面側に寄せられて下方に突出する下実が形成されているとともに、前記蓋体の上側の長辺には、正面側に寄せられて上方に突出する上実が形成されており、
前記入口には、前記下実及び前記上実と適合した溝が形成されている
ことを特徴とする断熱床下構造。
【請求項４】
請求項１から３の何れか１項に記載の断熱床下構造において、
前記枠体は、発泡樹脂製品である
ことを特徴とする断熱床下構造。
【請求項５】
請求項４に記載の断熱床下構造において、
前記枠体は、前記蓋体の横側に延びる袖壁部を有する
ことを特徴とする断熱床下構造。
【請求項６】
床下空間を形成する基礎に前記床下空間の内外を連通する人通口を施工する断熱床下用人通口の施工方法において、
前記基礎の打設時に前記人通口の一部を構成する開口を形成する形成工程と、
前記開口と連通する前記人通口の出口が形成された状態で、打設された前記基礎の床下空間側に基礎断熱材を固定する固定工程と、
前記基礎の前記開口に前記人通口の入口を枠取る枠体を装着する装着工程と
を備え、
前記固定工程は、前記出口の縁部に延設される延長部を、前記入口を開放することのできる状態で前記開口に臨ませる工程を含み、
前記装着工程は、前記延長部に当該枠体の背面を接合する工程を含む
ことを特徴とする断熱床下用人通口の施工方法。
【発明の詳細な説明】
【技術分野】
【０００１】
本発明は、断熱床下構造及び断熱床下用人通口の施工方法に関する。
【背景技術】
【０００２】
寒冷地の住宅や、浴室ユニットが配置される浴室等には、所定の温度を確保するため、布基礎等の基礎の内側に基礎断熱材を貼着した断熱床下構造が設けられる。
【０００３】
例えば、浴室ユニットは、化粧パネルで囲まれた空間内にバスタブ、洗い場床、換気扇等をユニット化し、建物のユニット設置場所に設置又は組み付けられる工業生産部品である。断熱床下構造は、このようなユニット設置場所に採用される。
【０００４】
断熱床下構造を保守点検するため、特許文献１、２には、入口を屋内側に設けられる基礎に開閉可能に設けた構造が提案されている。
【０００５】
特許文献１の構成では、基礎に固着される枠体と、枠体に対し、着脱可能な蓋体とを備えており、蓋体の設置は、基礎のコンクリート打設時に基礎の形成と同時に行われている。
【０００６】
特許文献２の構成では、枠体と蓋体を有する入口が開示されている。特許文献２の入口は、枠体の開口部を塞ぎ、基礎に配置後に打ち抜くことができる打抜き板を有している。当該打抜き板は、枠体の後縁部に沿った肉薄部を介して枠体に一体的に形成されている。そして、基礎形成時にコンクリートを打設する際、打抜き板によって枠体の形状を維持し、基礎完成後に打ち抜くように構成されている。
【先行技術文献】
【特許文献】
【０００７】
【特許文献１】実用新案登録第３０７８３４５号公報
【特許文献２】特許第５２８１８１３号公報
【発明の概要】
【発明が解決しようとする課題】
【０００８】
上述したように、特許文献１、２に開示されている先行技術においては、何れも基礎の打設時に入口の枠体を設置し、コンクリートと一体化されたものであった。そのため、施工に手間がかかり、コスト高の原因となっていた。
【０００９】
一方、予め基礎に開口を形成し、この開口に枠体を後付けする工法も想定されるが、単純に後付けしようとする場合には、ばらつきの大きい開口に対し、枠体を設けたときに、枠体と基礎の開口との間の断熱性を確保することが困難となり、やはり施工が困難になることが想定される。
【００１０】
本発明は、上述した課題に鑑みてなされたものであり、施工が容易で、しかも断熱性の高い断熱床下構造及び断熱床下用人通口の施工方法を提供することを課題としている。
【課題を解決するための手段】
【００１１】
上記課題を解決するために、本発明は、床下空間の内外を連通する人通口を備えた断熱床下構造において、前記床下空間を間仕切り、且つ前記人通口の一部を構成する開口が予め形成されている基礎と、前記開口と連通する前記人通口の出口が形成された状態で、前記基礎の床下空間側に固定される基礎断熱材と、前記基礎の前記開口に装着されて前記人通口の入口を枠取る枠体と、前記枠体の前記入口に着脱可能に嵌合されることにより、嵌合時に断熱性を保持した状態で前記入口を閉じる蓋体とを備え、前記基礎断熱材は、前記出口の縁を構成するとともに前記開口の縁よりも幅方向内側に突出した状態で前記枠体の背面に対向する延長部を有し、前記枠体は、前記延長部に当該枠体の背面を接合することにより前記開口に装着されることを特徴とする断熱床下構造である。
【００１２】
この態様では、基礎に枠体を取り付け、枠体に蓋体を着脱自在に嵌合することにより、人通口の入口を開閉することができる。従って、従来の構成と同様に、蓋体を枠体に装着しているときは断熱性を保持することができる一方、蓋体を枠体から取り外した際には、人通口の入口を開き、この入口を通して床下のメンテナンス作業等を行うことができる。ここで、本態様では、予め基礎に開口が形成されているので、基礎のコンクリート打設時に人通口の入口を枠取る枠体を基礎に嵌め込むための施工が不要となる。しかも、基礎に既設された開口には、基礎断熱材の延長部が臨んでおり、枠体を開口に装着する際には、この延長部に枠体の背面を接合させることにより、施工することができる。従って、枠体の装着作業が格段に容易になる。加えて、枠体の背面を延長部に接合させるので、枠体と基礎の開口との間に隙間が形成されていたとしても、枠体と延長部との間の高い断熱性を保持することができる。
【００１３】
好ましい態様の断熱床下構造において、前記出口の間口は、前記入口の間口以上に設定されている。この態様では、人通口の入口が開放された際、延長部のはみ出しがなくなり、通行がスムーズになる。しかも、枠体と延長部とを接合することにより、両者間の高い断熱性が確保されているので、枠体と基礎の開口との間に隙間が形成されていても、依然、高い断熱性を保持することが可能となる。
【００１４】
好ましい態様の断熱床下構造において、前記蓋体は、幅方向が長い長方形に形成されており、前記蓋体の下側の長辺には、背面側に寄せられて下方に突出する下実が形成されているとともに、前記蓋体の上側の長辺には、正面側に寄せられて上方に突出する上実が形成されており、前記入口には、前記下実及び前記上実と適合した溝が形成されている。この態様では、枠体と蓋体とがあいじゃくり構造を構成するので、蓋体の装着時には、枠体と蓋体との断熱性を一層確実に確保することができる。しかも、下実が背面側（すなわち、床下の内側）に寄せられて形成されている一方、上実が正面側（すなわち、床下の外側）に寄せられて形成されているので、装着時に荷重のかかりやすい下実を回動軸にして押し込み操作を行い、嵌合作業を行うことができるので、作業性が向上する。
【００１５】
好ましい態様の断熱床下構造において、前記枠体は、発泡樹脂製品である。この態様では、枠体自身が高い断熱性能を発揮するとともに、加工が容易になるので、基礎の開口に枠体を装着する際に枠体の外縁を切除する必要等が生じた場合においても、その加工が容易になる。
【００１６】
好ましい態様の断熱床下構造において、前記枠体は、前記蓋体の横側に延びる袖壁部を有する。この態様では、蓋体の側部に配管等の施工をする際、枠体の袖壁部に加工を施すことが容易になり、作業性が向上する。また、袖壁部によって、基礎断熱材と枠体との接合面積が増加するので、断熱性が一層向上する。
【００１７】
本発明の別の態様は、床下空間を形成する基礎に前記床下空間の内外を連通する人通口を施工する断熱床下用人通口の施工方法において、前記基礎の打設時に前記人通口の一部を構成する開口を形成する形成工程と、前記開口と連通する前記人通口の出口が形成された状態で、打設された前記基礎の床下空間側に基礎断熱材を固定する固定工程と、前記基礎の前記開口に前記人通口の入口を枠取る枠体を装着する装着工程とを備え、前記固定工程は、前記出口の縁部に延設される延長部を、前記入口を開放することのできる状態で前記開口に臨ませる工程を含み、前記装着工程は、前記延長部に当該枠体の背面を接合する工程を含むことを特徴とする断熱床下用人通口の施工方法である。この態様では、簡単な施工で断熱性の高い入口を床下用の基礎に施工することができる。
【発明の効果】
【００１８】
以上説明したように、本発明によれば、施工が容易で、しかも断熱性の高い断熱床下構造及び断熱床下用人通口の施工方法を提供することができるという顕著な効果を奏する。
【００１９】
本発明のさらなる特徴、目的、構成、並びに作用効果は、添付図面と併せて読むべき以下の詳細な説明から容易に理解できるであろう。
【図面の簡単な説明】
【００２０】
【図１】本発明の実施の一形態に係る断熱床下構造を採用した浴室部分の断面略図である。
【図２】図１の断熱床下構造の分解斜視図である。
【図３】図１の断熱床下構造の要部を示す正面部分略図である。
【図４】図１の断熱床下構造の要部を拡大して示す斜視図である。
【図５】図１の断熱床下構造の要部を示す断面略図である。
【図６】図１の断熱床下構造に係る人通口を蓋体で閉じる過程を示す斜視図である。
【図７】図１の断熱床下構造の要部全体を示す斜視図である。
【図８】本発明の別の実施形態に係る断熱床下構造の要部を示す正面部分略図である。
【図９】図８の実施形態に係る断熱床下構造の要部全体を示す斜視図である。
【発明を実施するための形態】
【００２１】
以下、添付図面を参照して、本発明を実施するための最良の形態について説明する。以下の説明では、断熱床下構造の一例として、浴室ユニットの設置場所について説明する。
【００２２】
図１を参照して、断熱床下構造１０は、べた基礎１１の上に布基礎１２を打設し、べた基礎１１と布基礎１２とによって囲まれたユニット設置場所を形成している。ユニット設置場所の床下空間には、べた基礎１１および布基礎１２の内側に貼着された基礎断熱材１４が設けられており、床下の保温性が確保されている。基礎断熱材１４は、ビーズ発泡成形により成形された発泡ポリエチレン等の発泡樹脂で形成されている。
【００２３】
ユニット設置場所には、浴室ユニット２０が設置又は組み付けられている。浴室ユニット２０は、化粧パネル２１で囲まれた空間内にバスタブ２２、洗い場床２３、換気扇（図示せず）等をユニット化した工業生産部品である。また、床下には、洗い場床２３に接続された配管２４や、バスタブ２２に接続された配管２５が配置されている。バスタブ２２の配管２５は、洗い場床２３に接続された配管２４に接続されており、配管２４の下流側が接続管に接続されて布基礎１２を貫通している。
【００２４】
図２及び図３を参照して、布基礎１２のうち、屋内に面している部分には、人通口が形成されている。人通口は、布基礎１２に形成された開口１５と、開口１５と連通するように基礎断熱材１４に形成された出口１６と、開口１５に装着される枠体３０が枠取る入口３１（図２〜図６参照）とによって形成される。
【００２５】
枠体３０は、金属製または樹脂製品である。本実施形態では、枠体３０を基礎断熱材１４と同様の発泡樹脂で形成し、開口１５の周囲の断熱性を保持するようにしている。枠体３０が枠取る入口３１は、蓋体４０によって、開閉されるようになっている。
【００２６】
図１の実施形態に係る断熱床下用人通口３１の施工方法としては、布基礎１２の打設時に開口１５を形成する形成工程と、打設された布基礎１２の床下空間側に基礎断熱材１４を固定する固定工程と、布基礎１２の開口１５に枠体３０を装着する装着工程とが実行される。
【００２７】
布基礎１２の開口１５は、布基礎１２の打設時に、図略のセパレータを設置してコンクリートを流し込む（形成工程）ことにより、施工される。本実施形態において、開口１５は、間口Ｗ１が高さｈよりも若干長い四角形に形成されている（図３参照）。
【００２８】
また、基礎断熱材１４は、布基礎１２の打設後に貼着される（固定工程）。本実施形態における固定工程においては、開口１５を開放する出口１６が形成される。この出口１６は、開口１５に対向する部位を除いて基礎断熱材１４を貼着することにより形成されている。出口１６の両側縁部分は、それぞれ延長部１７を形成している。延長部１７は、例えば、左右対称に開口１５の両側から開口１５の側方に突出している。この結果、延長部１７は、後述する枠体３０の入口３１を開くことのできる状態で開口１５に臨み、当該開口１５を通して枠体３０の背面（床下側。以下、同様。）に対向する。また、延長部１７が設けられていることにより、図３に示すように、出口１６の間口Ｗ２は、開口１５の間口Ｗ１に対して、若干短く設定されている。
【００２９】
枠体３０は、開口１５の間口Ｗ１に収まる幅Ｗ３に設定され、開口１５とほぼ同一寸法の高さの外寸を有する長方形の枠材である。ここで、幅Ｗ３は、開口１５の間口Ｗ１よりも小さく、出口１６の間口Ｗ２よりも大きい寸法に設定されている。そのため、図３に示すように、延長部１７の正面（床下の反対側。以下、同様。）部分が、それぞれ（Ｗ３−Ｗ２）／２の長さの接合代Ｌで枠体３０の背面と接合することができる。この結果、予め開口１５の間口Ｗ１よりも短い幅Ｗ３を有する枠体３０を用意し、接着剤などで出口１６を形成する延長部１７の正面に枠体３０の裏面を貼着する（装着工程）ことができる。これにより、高い断熱性を保持しつつ簡単に枠体３０を布基礎１２に固定し、装着することができる。
【００３０】
次に、枠体３０及び蓋体４０の具体的な構造について説明する。
【００３１】
まず、図３に示すように、枠体３０の入口３１は、枠体３０の中央部分に形成された長方形を呈しており、その間口Ｗ４は、高さｈ１よりも長く設定されている。ここで、入口３１の間口Ｗ４は、人間が這って出入りするために必要充分な長さを有している一方、出口１６の間口Ｗ２よりも短く設定されている。すなわち、開口１５の間口Ｗ１と、出口１６の間口Ｗ２と、枠体３０の幅Ｗ３と、入口３１の間口Ｗ４の関係は、
Ｗ１＞Ｗ３＞Ｗ２＞Ｗ４                    （１）
となっている。このように、開口１５の間口Ｗ１、出口１６の間口Ｗ２は、（１）式の大小関係を維持しつつ、入口３１が充分な間口Ｗ４を確保できる寸法に設定されている。このため、入口３１が開放されているときには、何の障害もなく、人や機材を出入りさせることができる。
【００３２】
図４を参照して、枠体３０の上側の内縁には、枠体３０の幅方向に沿って正面側が切り欠かれた上溝３２が形成されている。上溝３２は、入口３１と連通し、且つ入口３１と枠体３０の正面との間に矩形の段差を形成している。枠体３０の下側の内縁には、枠体３０の幅方向に沿って背面側が切り欠かれた下溝３３が形成されている。下溝３３は、入口３１と連通し、且つ入口３１と枠体３０の背面との間に矩形の段差を形成している。さらに枠体３０の両側部には、上下方向に沿って正面側が僅かに窪む段差部３４が形成されている（図３に片方のみ図示）。段差部３４は、入口３１と連続し、且つ入口３１と枠体３０の正面との間に矩形の段差を形成している。
【００３３】
枠体３０の入口３１を開閉するために、本実施形態では、蓋体４０が設けられる。蓋体４０は、基礎断熱材１４と同様の発泡樹脂で形成された板状の部材である。
【００３４】
図２、図３、図５を参照して、蓋体４０は、枠体３０の正面側開口部分（入口３１並びに上溝３２および両側部の段差部３４全体の輪郭）に適合して嵌合する長方形の正面板部４１と、正面板部４１の背面に延設され、枠体３０への嵌合時に入口３１の内側壁に接合する外寸を有する長方形の閉塞板部４２と、正面板部４１の略中央部分に取り付けられた取っ手４３を有する。正面板部４１の上縁は、断面が四角形に形成され、正面板部４１の幅方向全長にわたって延びる上実４４を構成している。また、閉塞板部４２の下面は、正面板部４１の下面と面一になっている一方、閉塞板部４２の下辺の背面寄り部分には、断面が四角形に形成され、正面板部４１の幅方向全長にわたって正面板部４１よりも下側に延設された下実４５が形成されている。
【００３５】
図５及び図６に示すように、枠体３０の各溝３２、３３と、蓋体４０の実４４、４５とは、あいじゃくり構造を構成する。枠体３０に蓋体４０を嵌合する際には、まず、下側が床下の方へ傾斜するように蓋体４０を若干斜めに傾斜させ、矢印Ａ１で示すように、下溝３３内に下実４５を嵌め込む。次いで、矢印Ａ２で示すように、蓋体４０を起立させる。これにより、枠体３０の各溝３２、３３と、蓋体４０の実４４、４５とがあいじゃくり状に嵌合し、高い断熱性を維持した状態で入口３１が閉塞される。また、取っ手４３を把持し、上側から外れるように上記と逆向きに蓋体４０を倒すことにより、蓋体４０は、入口３１から外れ、入口３１を開放する。
【００３６】
以上説明したように本実施形態によれば、布基礎１２に枠体３０を取り付け、枠体３０に蓋体４０を着脱自在に嵌合することにより、人通口の入口３１を開閉することができる。従って、従来の構成と同様に、蓋体４０を枠体３０に装着しているときは断熱性を保持することができる一方、蓋体４０を枠体３０から取り外した際には、人通口の入口３１を開き、この入口３１を通して床下のメンテナンス作業等を行うことができる。ここで、本実施形態では、上記形成工程により、予め布基礎１２に開口１５が形成されているので、布基礎１２のコンクリート打設時に人通口の入口３１を枠取る枠体３０を布基礎１２に嵌め込むための施工が不要となる。しかも、布基礎１２に既設された開口１５には、上記固定工程によって、基礎断熱材１４の延長部１７が臨んでいる。従って、装着工程において、枠体３０を開口１５に装着する際には、この延長部１７に枠体３０の背面を接合させることにより、施工することができる。この結果、枠体３０の装着作業が格段に容易になる。加えて、枠体３０の背面を延長部１７に接合させるので、枠体３０と布基礎１２の開口１５との間に隙間が形成されていたとしても、枠体３０と延長部１７との間の高い断熱性を保持することができる。
【００３７】
また、本実施形態では、延長部１７の出口１６の間口Ｗ２は、枠体３０が枠取る入口３１の開口１５以上に設定されている。このため本実施形態では、入口３１が開放された際、延長部１７のはみ出しがなくなり、通行がスムーズになる。しかも、枠体３０と延長部１７とを接合することにより、両者間の高い断熱性が確保されているので、枠体３０と布基礎１２の開口１５との間に隙間が形成されていても、依然、高い断熱性を保持することが可能となる。
【００３８】
また、本実施形態では、蓋体４０は、幅方向が長い長方形に形成されており、蓋体４０の下側の長辺には、背面側に寄せられて下方に突出する下実４５が形成されているとともに、蓋体４０の上側の長辺には、正面側に寄せられて上方に突出する上実４４が形成されており、枠体３０には、下実４５及び上実４４と適合した溝として、下溝３３、上溝３２がそれぞれ形成されている。このため本実施形態では、枠体３０と蓋体４０とがあいじゃくり構造を構成するので、蓋体４０の装着時には、枠体３０と蓋体４０との断熱性を一層確実に確保することができる。しかも、下実４５が背面側に寄せられて形成されている一方、上実４４が正面側に寄せられて形成されているので、図５及び図６に示しているように、装着時に荷重のかかりやすい下実４５を回動軸にして押し込み操作を行い、嵌合作業を行うことができるので、作業性が向上する。
【００３９】
また、本実施形態では、枠体３０は、発泡樹脂製品である。このため本実施形態では、枠体３０自身が高い断熱性能を発揮するとともに、加工が容易になるので、布基礎１２の開口１５に枠体３０を装着する際に枠体３０の外縁を切除する必要等が生じた場合においても、その加工が容易になる。
【００４０】
本発明は、上述した実施の形態に限定されるものではなく、本発明の要旨を逸脱しない範囲内において種々変更を加え得ることはいうまでもない。
【００４１】
例えば、図８及び図９に示すように、枠体３０は、蓋体４０の横側に延びる袖壁部５０を有するものであってもよい。
【００４２】
図８及び図９に示すように、布基礎１２に床下内の配管を貫通する工事は、既設の布基礎１２に穿孔する必要があったので、作業に手間がかかるという問題があった。また、施工後に配管を貫通させる必要が生じる場合も考えられる。
【００４３】
そのため、本実施形態では、発泡樹脂製品からなる枠体３０に袖壁部５０を延設し、この袖壁部５０に配管を貫通させる構成を採用している。
【００４４】
袖壁部５０は、幅方向一端側に設けられ、入口３１と左右に並んでいる。袖壁部５０は、予め布基礎１２に形成された開口１５内に嵌め込まれて、その背後にある基礎断熱材１４に接合し、接着されている。図８及び図９においても、開口１５の間口Ｗ１と、出口１６の間口Ｗ２と、枠体３０の幅Ｗ３と、入口３１の間口Ｗ４の関係は、図１の実施形態と同様に、（１）式の関係に維持されているが、図８及び図９の構成では、袖壁部５０と対向する延長部１７の幅方向の接合代Ｌ２が反対側の延長部１７の接合代Ｌ１よりも大幅に長く設定されることから、枠体３０と基礎断熱材１４とのシール性が大幅に高くなり、きわめて高い断熱性を得ることができる。また、袖壁部５０が形成されている部位は、発泡樹脂で形成されていることから、配管作業時の加工をきわめて容易に行うことができる。
【００４５】
また、入口の形状は、長方形に限らず、例えば、円形であってもよい。断熱床下構造１０は、浴室のユニット設置場所を例に説明したが、これに限らず、例えば、厳格な温度管理が必要とする作業室や、寒冷地の住居スペースの床下に適用してもよい。
【００４６】
また、開口１５の間口Ｗ１と、出口１６の間口Ｗ２と、枠体３０の幅Ｗ３と、入口３１の間口Ｗ４の関係は、（１）式が最も好適であるが、これに限らず、例えば、出口１６の間口Ｗ２と入口３１の間口Ｗ４とを同じ寸法に設定してもよい。
【００４７】
また、人通口が形成される基礎は、断熱床下の床下空間の内外を連通するものであればよく、布基礎に限定されない。
【符号の説明】
【００４８】
１０   断熱床下構造
１２   布基礎（基礎の一例）
１４   基礎断熱材
１５   開口（人通口の一部）
１６   出口
１７   延長部
２０   浴室ユニット
３０   枠体
３１   入口
３２   上溝
３３   下溝
４０   蓋体
４４   上実
４５   下実
ｈ     高さ
ｈ１   高さ
Ｌ、Ｌ１、Ｌ２       接合代
Ｗ１   開口の間口
Ｗ２   出口の間口
Ｗ３   枠体の幅
Ｗ４   入口の間口
【図１】
0006449070.tif 000002
【図２】
0006449070.tif 000003
【図３】
0006449070.tif 000004
【図４】
0006449070.tif 000005
【図５】
0006449070.tif 000006
【図６】
0006449070.tif 000007
【図７】
0006449070.tif 000008
【図８】
0006449070.tif 000009
【図９】
0006449070.tif 000010